(57)【特許請求の範囲】
【請求項１】
光源から照射されたレーザ光を光情報記録媒体に照射することで前記光情報記録媒体に情報を記録し、前記光情報記録媒体に参照光を照射して情報を再生する光記録再生装置であって、
前記レーザ光を透過させ、供給される駆動電圧に応じて液晶の分子軸方向が変化する液晶セルと、
前記液晶セルを透過した前記レーザ光のうち所定方向の偏光成分のみを所定箇所へ出射する偏光子と、
前記液晶セルの不使用期間に、前記駆動電圧と極性の偏りが異なる補正電圧を前記液晶セルに印加する制御回路と、を有し、
前記不使用期間は、前記液晶セル又は前記光源の移動期間である
ことを特徴とする光記録再生装置。
【請求項２】
光源から照射されたレーザ光を光情報記録媒体に照射することで前記光情報記録媒体に情報を記録し、前記光情報記録媒体に参照光を照射して情報を再生する光記録再生装置であって、
前記レーザ光を透過させ、供給される駆動電圧に応じて液晶の分子軸方向が変化する液晶セルと、
前記液晶セルを透過した前記レーザ光のうち所定方向の偏光成分のみを所定箇所へ出射する偏光子と、
前記液晶セルの不使用期間に、前記駆動電圧と極性の偏りが異なる補正電圧を前記液晶セルに印加する制御回路と、を有し、
前記制御回路は、前記補正電圧を印加する前記液晶セルの対象領域に対して過去に印加された前記駆動電圧の平均電圧に応じて、前記対象領域に対して印加する前記補正電圧の平均電圧を調整する
ことを特徴とする光記録再生装置。
【請求項３】
光源から照射されたレーザ光を光情報記録媒体に照射することで前記光情報記録媒体に情報を記録し、前記光情報記録媒体に参照光を照射して情報を再生する光記録再生装置であって、
前記レーザ光を透過させ、供給される駆動電圧に応じて液晶の分子軸方向が変化する液晶セルと、
前記液晶セルを透過した前記レーザ光のうち所定方向の偏光成分のみを所定箇所へ出射する偏光子と、
前記液晶セルの不使用期間に、前記駆動電圧と極性の偏りが異なる補正電圧を前記液晶セルに印加する制御回路と、を有し、
前記補正電圧は、正電圧および負電圧を交互に繰り返す振幅波形であり、
前記制御回路は、前記補正電圧を印加する前記液晶セルの対象領域に対して、
過去に印加された前記駆動電圧の平均電圧に応じて印加する前記補正電圧の振幅および時間長の少なくともいずれか一方を調整する
ことを特徴とする光記録再生装置。
【発明の詳細な説明】
【技術分野】
【０００１】
本発明は、光記録再生装置に関する。
【背景技術】
【０００２】
従来、ホログラムを利用した光記録再生装置において、光情報記録媒体へのレーザ光の出射の制御に光学装置（液晶シャッタ）を用いる構成が知られている。また、従来、ホログラムを利用した光記録再生装置において、レーザ光が遮光部の第１の領域から第２の領域に照射されるよう、遮光部とレーザ光を相対的に移動させる構成が知られている（たとえば、下記特許文献１参照。）。
【先行技術文献】
【特許文献】
【０００３】
【特許文献１】特開２０１４−２０３４８７号公報（第１頁、図１）
【発明の概要】
【発明が解決しようとする課題】
【０００４】
しかしながら、上述した従来技術では、液晶駆動領域に印加される駆動電圧に極性の偏りがあると、液晶駆動領域のイオンが偏る劣化現象として、液晶駆動領域を通過した光の偏光状態が経時的に変化する現象が生じ、所望の偏光状態が得られなくなる液晶ドリフト現象により、液晶駆動領域の光学特性が劣化するという問題がある。
【０００５】
本発明は、上述した従来技術による問題点を解消するため、駆動電圧の極性の偏りによる液晶駆動領域の光学特性の劣化を抑制することができる光記録装置を提供することを目的とする。
【課題を解決するための手段】
【０００６】
上述した課題を解決し、目的を達成するため、本発明にかかる光学装置は、光源から照射されたレーザ光を光情報記録媒体に照射することで光情報記録媒体に情報を記録し、光情報記録媒体に参照光を照射して情報を再生する光記録再生装置であって、光源から照射されたレーザ光を透過させ、供給される駆動電圧に応じて液晶の分子軸方向が変化する液晶セルと、液晶セルを透過した前記レーザ光のうち所定方向の偏光成分のみを所定箇所へ出射する偏光子と、液晶セルの不使用期間に、駆動電圧と極性の偏りが異なる補正電圧を液晶セルに印加する制御回路とを有することを特徴としている。
【０００７】
不使用期間は、光情報記録媒体の移動期間であることを特徴としている。
【０００８】
不使用期間は、液晶セル又は光源の移動期間であってもよい
制御回路は、補正電圧を印加する液晶セルの対象領域に対して、過去に印加された駆動電圧に応じた補正電圧を印加することを特徴としている。
【０００９】
制御回路は、対象領域に対して過去に印加された駆動電圧の平均電圧に応じて、対象領域に対して印加する補正電圧の平均電圧を調整することを特徴としている。
【００１０】
補正電圧は、正電圧および負電圧を交互に繰り返す振幅波形であることを特徴としている。
【００１１】
制御回路は、対象領域に対して、過去に印加された駆動電圧の平均電圧に応じて印加す
る補正電圧の振幅および時間長の少なくともいずれか一方を調整することを特徴としている。
【発明の効果】
【００１２】
本発明の一側面によれば、駆動電圧の極性の偏りによる液晶駆動領域の光学特性の劣化を抑制することができるという効果を奏する。
【図面の簡単な説明】
【００１３】
【図１】図１は、実施の形態にかかる光学装置を適用した光記録再生装置の一例を示す図である。
【図２】図２は、実施の形態にかかる光学装置の液晶駆動領域へ印加される駆動電圧の波形の一例を示す図である。
【図３】図３は、実施の形態にかかる光学装置の液晶駆動領域へ印加される駆動電圧の波形の一例を示す図である。
【図４】図４は、実施の形態にかかる光学装置の液晶駆動領域へ印加される補正電圧の波形の一例を示す図である。
【図５】図５は、実施の形態にかかる光学装置の液晶駆動領域へ印加される補正電圧の波形の一例を示す図である。
【図６】図６は、実施の形態にかかる光学装置の液晶駆動領域へ印加される補正電圧の波形の一例を示す図である。
【図７】図７は、実施の形態にかかる光学装置の液晶駆動領域へ印加される補正電圧の波形の一例を示す図である。
【発明を実施するための形態】
【００１４】
以下に図面を参照して、本発明にかかる光記録装置の実施の形態を詳細に説明する。
【００１５】
（実施の形態における光記録再生装置）
図１は、実施の形態における光記録再生装置の一例を示す図である。
【００１６】
光記録再生装置１００は、光源１０１と、コリメートレンズ１０２と、液晶セル１０３と、ＰＢＳプリズム１０４と、ビームエキスパンダ１０６と、位相マスク１０７と、リレーレンズ１０８と、ＰＢＳプリズム１０９と、空間光変調器１１０と、リレーレンズ１１１ａ，１１１ｂと、空間フィルタ１１２と、対物レンズ１１３と、ミラー１１４と、ミラー１１５と、ガルバノミラー１１６と、スキャナレンズ１１７と、光情報記録媒体１１８と、１／４波長板１１９と、ガルバノミラー１２０と、撮像素子１２１と、制御回路１２２と、アクチュエータ１２３と、を備える。
【００１７】
光記録再生装置１００は、空間光変調器１１０により空間的に変調した信号光を光情報記録媒体１１８に照射することで光情報記録媒体１１８に情報を記録する。また、光記録再生装置１００は、光情報記録媒体１１８に参照光を照射することで得られる再生光を撮像素子１２１によって電気信号に変換することで情報を読み出す。
【００１８】
光源１０１は、レーザ光をコリメートレンズ１０２へ出射する。光源１０１から出射されるレーザ光は、たとえば所定の直線偏光の連続光とすることができる。光源１０１には、たとえばＬＤ（Ｌａｓｅｒ  Ｄｉｏｄｅ：レーザダイオード）を用いることができる。コリメートレンズ１０２は、光源１０１から出射されたレーザ光を所定のビーム径のレーザ光にコリメートし、コリメートしたレーザ光を液晶セル１０３へ出射する。
【００１９】
液晶セル１０３、ＰＢＳプリズム１０４および制御回路１２２は、空間光変調器１１０から光情報記録媒体１１８（所定箇所）への信号光の照射を制御する光学装置（液晶シャ
ッタ）１０５を構成する。
【００２０】
液晶セル１０３は、制御回路１２２から供給される駆動電圧に応じて、コリメートレンズ１０２から出射されるレーザ光の偏光状態を調整する。たとえば、液晶セル１０３は、光情報記録媒体１１８への情報の記録時には、レーザ光の偏光状態を、Ｐ偏光およびＳ偏光を含む偏光状態とする。
【００２１】
また、液晶セル１０３は、光情報記録媒体１１８からの情報の再生時には、レーザ光の偏光状態をＳ偏光とする。液晶セル１０３は、偏光状態を調整したレーザ光をＰＢＳプリズム１０４へ出射する。液晶セル１０３には、たとえばＦＬＣ（Ｆｅｒｒｏｅｌｅｃｔｒｉｃ  Ｌｉｑｕｉｄ  Ｃｒｙｓｔａｌ：強誘電性液晶）を用いることができる。ただし、液晶セル１０３にはＦＬＣに限らず、ネマティック液晶など各種の液晶セルを用いることができる。
【００２２】
ＰＢＳプリズム１０４は、液晶セル１０３から出射されたＰ偏光のレーザ光を透過させて、信号光としてビームエキスパンダ１０６へ出射するＰＢＳ（Ｐｏｌａｒｉｚａｔｉｏｎ  Ｂｅａｍ  Ｓｐｌｉｔｔｅｒｓ：偏光ビームスプリッタ）である。また、ＰＢＳプリズム１０４は、液晶セル１０３から出射されたＳ偏光のレーザ光を反射させて、参照光としてミラー１１４へ出射する。これにより、光情報記録媒体３１８への情報の記録時には、Ｐ偏光の信号光がビームエキスパンダ１０６へ出射される。また、光情報記録媒体１１８からの情報の再生時には、Ｓ偏光の参照光がミラー１１４へ出射される。
【００２３】
ビームエキスパンダ１０６は、ＰＢＳプリズム１０４から出射された信号光のビーム経を所定のビーム経に拡張し、ビーム経を拡張した信号光を位相マスク１０７へ出射する。ビームエキスパンダ１０６から位相マスク１０７へ出射された信号光は、位相マスク１０７およびリレーレンズ１０８を介してＰＢＳプリズム１０９へ出射される。
【００２４】
ＰＢＳプリズム１０９は、リレーレンズ１０８から出射されたＰ偏光の信号光を透過させて空間光変調器１１０へ出射する。また、ＰＢＳプリズム１０９は、空間光変調器１１０から出射された信号光を反射させてリレーレンズ１１１ａへ出射する。ＰＢＳプリズム１０９からリレーレンズ１１１ａへ出射された信号光は、リレーレンズ１１１ａ、空間フィルタ１１２の開口部、リレーレンズ１１１ｂおよび対物レンズ１１３を介して光情報記録媒体１１８へ出射される。
【００２５】
空間光変調器１１０は、ＰＢＳプリズム１０９から出射された信号光を変調情報に基づいて空間的に変調する。たとえば、空間光変調器１１０は、制御回路１２２から書き込まれた２次元画像データ（変調情報）に基づく変調を行う。そして、空間光変調器１１０は、変調した信号光をＰＢＳプリズム１０９へ出射する。
【００２６】
空間光変調器１１０には、たとえばＬＣＯＳ（Ｌｉｑｕｉｄ  Ｃｒｙｓｔａｌ  Ｏｎ  Ｓｉｌｉｃｏｎ：液晶オンシリコン）を用いることができる。また、空間光変調器１１０には、マイクロデバイスミラーなどのＭＥＭＳ（Ｍｉｃｒｏ  Ｅｌｅｃｔｒｏ  Ｍｅｃｈａｎｉｃａｌ  Ｓｙｓｔｅｍｓ：微小電気機械素子）デバイスを用いてもよい。
【００２７】
ＰＢＳプリズム１０４からミラー１１４へ出射された参照光は、ミラー１１４，１１５を介してガルバノミラー１１６へ出射される。ガルバノミラー１１６は、ミラー１１５から出射された参照光を可変の角度で反射させてスキャナレンズ１１７へ出射する。ガルバノミラー１１６の角度制御は、たとえば制御回路１２２によって行うことができる。スキャナレンズ１１７は、ガルバノミラー１１６から出射された参照光を光情報記録媒体１１８へ出射する。
【００２８】
光情報記録媒体１１８には、たとえば、ニオブ酸リチウムなどのフォトリフラクティブ結晶や、感光性樹脂材料（フォトポリマ）など、各種の光情報記録媒体を用いることができる。また、光情報記録媒体１１８は、たとえば制御回路１２２からの制御によって変位可能であってもよい。
【００２９】
情報の記録時において、光情報記録媒体１１８には、対物レンズ１１３から出射された信号光と、スキャナレンズ１１７から出射された参照光と、が互いに重なりあうように入射する。これにより、光情報記録媒体１１８に干渉縞パターンが形成され、光情報記録媒体１１８は形成された干渉縞パターンをホログラムとして記録する。また、ガルバノミラー１１６の角度制御により、光情報記録媒体１１８に対する参照光の入射角度を変化させることで角度多重記録を行うことができる。本実施の形態では、このホログラムを「ページ」と呼び、ページが角度多重化されている記録領域のことを「ブック」と呼ぶ。
【００３０】
情報の再生時において、光情報記録媒体１１８には、スキャナレンズ１１７から出射された参照光が入射する。１／４波長板１１９は、スキャナレンズ１１７から出射され光情報記録媒体１１８を透過した参照光を通過させてガルバノミラー１２０へ出射する。
【００３１】
ガルバノミラー１２０は、１／４波長板１１９から出射された参照光を可変の角度で反射させる。ガルバノミラー１２０の角度制御は、たとえば制御回路１２２によって行うことができる。このとき、ガルバノミラー１２０の角度制御がガルバノミラー１１６の角度制御と連動して行われることで、ガルバノミラー１２０において参照光が略垂直に反射し、参照光が１／４波長板１１９へ折り返される。
【００３２】
したがって、スキャナレンズ１１７から出射され光情報記録媒体１１８を透過した参照光は、１／４波長板１１９を２回通過することによってＳ偏光からＰ偏光に変換され、光情報記録媒体１１８へ出射される。これにより、光情報記録媒体１１８に記録された情報に応じた再生光がＰ偏光の回折光として対物レンズ１１３へ出射される。
【００３３】
光情報記録媒体１１８から対物レンズ１１３へ出射された再生光は、リレーレンズ１１１ｂ、空間フィルタ１１２およびリレーレンズ１１１ａを介してＰＢＳプリズム１０９へ出射される。このとき、リレーレンズ１１１ａ，１１１ｂの間の空間フィルタ１１２の開口部によって、再生対象ブックからの回折光である再生光のみがＰＢＳプリズム１０９へ透過する。
【００３４】
ＰＢＳプリズム１０９は、リレーレンズ１１１ａ，１１１ｂから出射されたＰ偏光の再生光を透過させて撮像素子１２１へ出射する。
【００３５】
撮像素子１２１は、ＰＢＳプリズム１０９から出射された再生光を電気信号に変換する。これにより、光情報記録媒体１１８に記録された情報を示す電気信号が得られる。撮像素子１２１は、変換した電気信号を制御回路１２２へ出力する。撮像素子１２１には、たとえばＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ：相補型金属酸化膜半導体）等の固体撮像素子を用いることができる。
【００３６】
制御回路１２２は、光情報記録媒体１１８への情報の記録時や光情報記録媒体１１８からの情報の再生時において、空間光変調器１１０や光学装置（液晶シャッタ）１０５などの制御を行う。たとえば、制御回路１２２は、光情報記録媒体１１８からの情報の再生時に、ＰＢＳプリズム１０４から参照光のみが出射されるように、液晶セル１０３に駆動電圧を供給する。また、制御回路１２２は、光情報記録媒体１１８からの情報の再生時に、撮像素子１２１から出力された電気信号を再生データとして外部へ出力する。
【００３７】
また、制御回路１２２は、光情報記録媒体１１８への情報の記録時に、記録対象の情報（変調情報）を空間光変調器１１０に書き込むとともに、ＰＢＳプリズム１０４から信号光および参照光が出射されるように、液晶セル１０３に駆動電圧を供給する。ただし、制御回路１２２は、光情報記録媒体１１８に対する情報の記録時であっても、空間光変調器１１０に対する情報の書き込み時には、ＰＢＳプリズム１０４から信号光が出射されないように、液晶セル１０３に駆動電圧を供給する。
【００３８】
また、制御回路１２２は、光情報記録媒体１１８への情報の記録時に、ガルバノミラー１１６の角度制御を行うことで、記録対象のブックなどを制御する。また、制御回路１２２は、光情報記録媒体１１８からの情報の再生時に、ガルバノミラー１１６，１２０の角度制御を行うことで、再生対象のブックなどを制御する。なお、図１においては、制御回路１２２とガルバノミラー１１６，１２０との接続関係は図示を省略している。また、制御回路１２２は、対物レンズ１１３に対する光情報記録媒体１１８の位置を変化させることによって、記録対象のブックの移動を行ってもよい。
【００３９】
アクチュエータ１２３は、制御回路１２２からの制御によって液晶セル１０３を移動させることができる。アクチュエータ１２３による液晶セル１０３の移動方向は、たとえば図１における縦方向および奥行き方向である。液晶セル１０３を移動させることにより、例えば、光源１０１からレーザ光が液晶セル１０３に照射されるときの照射領域を変えることで、液晶セル１０３の光劣化による寿命を延長したり、光情報記録媒体１１８からの情報の再生時に、液晶セル１０３を光路から外すことが可能となり、レーザ光による光劣化の進行を遅らせることができる。
【００４０】
（実施の形態）
図１において、光情報記録媒体１１８からの情報の記録時に、ＰＢＳプリズム１０４から信号光および参照光が出射されるように、液晶セル１０３の駆動のみを考慮して駆動電圧を決定し、液晶セル１０３に駆動電圧を印加した場合、必ずしも極性の偏りが無い電圧とはならないため、結果として液晶セル１０３の光学特性を劣化させてしまうという問題がある。
【００４１】
本実施の形態において、ＰＢＳプリズム１０４から信号光および参照光が出射されるように、液晶セル１０３に印加した駆動電圧とは極性の偏りが異なる補正電圧を、液晶セル１０３の不使用期間に印加する事によって、光記録再生装置の動作を妨げずに液晶セル１０３の光学特性の劣化を防ぐことが可能である。
【００４２】
本実施の形態における液晶セル１０３の不使用期間とは、光源１０１からの光を用いて光情報記録媒体１１８に対して情報の記録及び情報の読取を行う期間以外のことであり、光記録再生装置１００としての具体的な液晶セル１０３の不使用期間については以下に説明する。
【００４３】
この液晶セル１０３を含む液晶シャッタ１０５の動作の不使用期間としては、例えば、光情報記録媒体１１８の記録トラック間の移動期間や角度多重で記録した際のガルバノミラー１１６の角度を戻す期間が相当し、この期間に、極性の偏りが異なる補正電圧を、液晶セル１０３に印加することによって、所望の特性が得られる。
【００４４】
上記以外の液晶シャッタ１０５の不使用期間としては、例えば、光源１０１からレーザ光が液晶セル１０３に照射されるときの照射領域を変えることで、液晶セル１０３の光劣化による寿命を延長させる場合や、光情報記録媒体１１８からの情報の再生時に、液晶セル１０３を光路から外すことで、レーザ光による光劣化の進行を遅らせる場合に、アクチ
ュエータ１２３による液晶セル１０３又は光源１０１の位置を移動させる移動期間が相当する。この期間に、極性の偏りが異なる補正電圧を、液晶セル１０３に印加することによって、所望の特性が得られる。
【００４５】
（実施の形態にかかる液晶セルへ印加される駆動電圧の波形）
図２は、実施の形態にかかる液晶セル１０３の液晶駆動領域へ印加される駆動電圧の波形の一例を示す図である。図２において、横軸は時間を示し、縦軸は電圧を示す。駆動電圧２１０は、実施の形態にかかる液晶セル１０３の液晶駆動領域へ印加される駆動電圧の波形を示している。ここでは、図１に示した制御回路１２２は、図１に示した液晶セル１０３に適用された液晶駆動領域へ駆動電圧２１０を印加する。
【００４６】
Ｖ１［Ｖ］は、光学装置（液晶シャッタ）１０５をオープン（オン）にする場合に液晶駆動領域に印加される正の駆動電圧である。−Ｖ２［Ｖ］は、光学装置（液晶シャッタ）１０５をクローズ（オフ）にする場合に液晶駆動領域へ印加される負の駆動電圧である。
【００４７】
図２に示すグラフの駆動電圧としては、たとえばＶ１が１．５［Ｖ］、−Ｖ２が３．０［Ｖ］であり、負の極性に偏った例を示し、各駆動電圧の期間としては、たとえばＶ１が印加される第１の期間Ｔ１及び−Ｖ２が印加される第２の期間Ｔ２は、１０［ｍｓｅｃ］程度とした例を示している。上記駆動電圧及び駆動電圧を印加する期間は一例であり、必要に応じて適宜決定される。
【００４８】
図２に示す例では、制御回路１２２は、光学装置（液晶シャッタ）１０５をオープンする際には駆動電圧２１０をＶ１［Ｖ］とし、光学装置（液晶シャッタ）１０５をクローズする際には駆動電圧２１０を−Ｖ２［Ｖ］とする。また、図２に示す例では、光学装置（液晶シャッタ）１０５のオープンの際の駆動電圧２１０の大きさ（Ｖ１）が、光学装置（液晶シャッタ）１０５のクローズの際の駆動電圧２１０の大きさ（Ｖ２）より小さい。
【００４９】
したがって、たとえば光学装置（液晶シャッタ）１０５におけるオープンの期間の長さとクローズの期間の長さが同じであるとすると、駆動電圧２１０は、平均電圧が負になる、すなわち極性が負に偏った駆動電圧である。このため、駆動電圧２１０を長時間連続して一定の液晶駆動領域に印加すると、液晶駆動領域の液晶層にイオンの偏りが生じてしまい（液晶ドリフト現象）、その液晶駆動領域を劣化させる。
【００５０】
また、図２に示す例ではＶ１＜Ｖ２であるが、Ｖ１＞Ｖ２であってもよい。この場合は、たとえば光学装置（液晶シャッタ）１０５におけるオープンの期間の長さとクローズの期間の長さが同じであるとすると、駆動電圧２１０は、平均電圧が正になる、すなわち極性が正に偏った駆動電圧である。このため、駆動電圧２１０を長時間連続して一定の液晶駆動領域に印加すると、液晶駆動領域の液晶層にイオンの偏りが生じてしまい（液晶ドリフト現象）、その液晶駆動領域を劣化させる。
【００５１】
図３は、実施の形態にかかる光学装置の液晶駆動領域へ印加される駆動電圧の波形の他の例を示す図である。図３において、図２に示した部分と同様の部分については同一の符号を付して説明を省略する。図３に示すように、光学装置（液晶シャッタ）１０５のオープンの際の駆動電圧２１０（Ｖ１）の大きさが、光学装置（液晶シャッタ）１０５のクローズの際の駆動電圧２１０（−Ｖ２）の大きさと同じであっても（Ｖ１＝Ｖ２）、光学装置（液晶シャッタ）１０５におけるオープンの期間の長さとクローズの期間の長さが異なる場合は、駆動電圧２１０は極性が正または負に偏った駆動電圧となり、液晶駆動領域を劣化させる。
【００５２】
図３に示す例では、光学装置（液晶シャッタ）１０５におけるオープンの期間の長さが
、光学装置（液晶シャッタ）１０５におけるクローズの期間より短い。したがって、駆動電圧２１０は、平均電圧が負になる、すなわち極性が負に偏った駆動電圧である。また、光学装置（液晶シャッタ）１０５におけるオープンの期間の長さが、光学装置（液晶シャッタ）１０５におけるクローズの期間より長い場合も有り得る。この場合は、駆動電圧２１０は、平均電圧が正になる、すなわち極性が正に偏った駆動電圧である。
【００５３】
また、図２に示すようにオープンの場合とクローズの場合で駆動電圧２１０の大きさが異なり、かつ、図３に示すようにオープンの期間の長さとクローズの期間の長さが異なるようにしてもよい。
【００５４】
このように、駆動電圧２１０の極性が偏っている場合に、駆動電圧２１０を長時間連続して一定の液晶駆動領域に印加すると、その液晶駆動領域を劣化させる。これに対して、光学装置（液晶シャッタ）１０５は、不使用期間に補正電圧を掃引することで、このような液晶駆動領域の劣化を抑制する。
【００５５】
（実施の形態にかかる液晶セルの液晶駆動領域へ印加される補正電圧の波形の例）
図４〜図６は、実施の形態にかかる光学装置の液晶駆動領域へ印加される補正電圧の波形の例を示す図である。図４〜図６において、横軸は時間を示し、縦軸は電圧を示す。補正電圧４１０は、光学装置（液晶シャッタ）１０５の不使用期間に印加される補正電圧の波形である。
【００５６】
図４〜図６においては、たとえば図２，図３に示した例のように、光学装置（液晶シャッタ）１０５の駆動電圧２１０の平均電圧が負である場合について説明する。この場合は、補正電圧４１０は、たとえば、図４〜図６に示すように、平均電圧が正である補正電圧とする。
【００５７】
たとえば、補正電圧４１０は、図４に示すように単純な矩形波としてもよいし、図５に示すように複数の矩形波としてもよいし、図６に示すように階段状の波形としてもよい。また、図４〜図６に示す例では補正電圧４１０は０以上の電圧値のみとしたが、平均電圧値が正となれば、補正電圧４１０は負の電圧値となる部分を含んでいてもよい。
【００５８】
一方で、液晶セル１０３の駆動電圧２１０の平均電圧が正である場合は、補正電圧４１０は、平均電圧が負である補正電圧とする。
【００５９】
たとえば、駆動電圧２１０の極性の偏りが実験やシミュレーション等により予め判明している場合には、補正電圧４１０として、予め判明している駆動電圧２１０とは極性の偏りが反対の電圧波形を設定することができる。
【００６０】
駆動電圧２１０の極性の偏りが予め判明していない場合も有り得る。この場合に、制御回路１２２は、たとえば、液晶セル１０３に補正電圧４１０を印加する対象領域に対して過去に印加された駆動電圧２１０の極性の偏りに応じて、不使用期間に印加する補正電圧４１０を生成してもよい。これにより、駆動電圧２１０の極性の偏りが予め判明していない場合であっても、駆動電圧２１０の極性が正に偏っていた場合は極性が負に偏った補正電圧４１０を印加し、駆動電圧２１０の極性が負に偏っていた場合は極性が正に偏った補正電圧４１０を印加することができる。
【００６１】
たとえば、制御回路１２２は、過去に印加した駆動電圧２１０の平均電圧を記憶する。そして、制御回路１２２は、記憶した平均電圧に応じて、印加する補正電圧４１０の平均電圧を調整する。補正電圧４１０の平均電圧の調整は、たとえば、補正電圧４１０における電圧の大きさ（振幅）の調整、補正電圧４１０における矩形波等の時間長や回数の調整
、またはこれらの組み合わせによって行うことができる。
【００６２】
図７は、実施の形態にかかる光学装置の液晶駆動領域へ印加される補正電圧の波形の他の例を示す図である。図７において、図４〜図６に示した部分と同様の部分については同一の符号を付して説明を省略する。図４〜図６においては補正電圧４１０の平均電圧値を正または負に偏らせる場合について説明したが、補正電圧４１０の波形はこれに限らない。
【００６３】
たとえば、補正電圧４１０は、図７に示すように、正電圧と負電圧を交互に繰り返す振幅波形であってもよい。この場合の補正電圧４１０の平均電圧は、たとえば０［Ｖ］である。また、たとえば図２，図３に示したように駆動電圧２１０の平均電圧が負である場合は、補正電圧４１０（振幅波形）の平均電圧は正の値であってもよい。一方、駆動電圧２１０の平均電圧が正である場合は、補正電圧４１０（振幅波形）の平均電圧は負の値であってもよい。
【００６４】
このように、補正電圧４１０に振幅波形を用いることで、たとえば駆動電圧２１０の極性の偏りが予め判明していない場合であっても、駆動電圧２１０の印加によるイオンの偏りを補償し、光学装置（液晶シャッタ）１０５の劣化を抑制することができる。図４〜図７に示したように、補正電圧４１０は、駆動電圧２１０と極性の偏りが異なることにより、駆動電圧２１０の印加による液晶駆動領域のイオンの偏りを補償する補正電圧であればよい。これにより、極性が偏った駆動電圧２１０によって偏った液晶駆動領域の配向状態を回復させ、液晶駆動領域の光学特性の劣化を抑制することができる。
【００６５】
また、制御回路１２２は、補正電圧を印加する対象領域に対して過去に印加された駆動電圧に応じて、対象領域に対して印加する補正電圧４１０（振幅波形）の振幅および時間長の少なくともいずれかを調整してもよい。たとえば、制御回路１２２は、補正電圧を印加する対象領域に対して過去に印加された駆動電圧の平均電圧の絶対値が大きいほど、補正電圧４１０（振幅波形）の振幅を大きくする。または、制御回路１２２は、補正電圧を印加する対象領域に対して過去に印加された駆動電圧の平均電圧の絶対値が大きいほど、補正電圧４１０（振幅波形）を印加する時間を長くする。これにより、駆動電圧による液晶駆動領域のイオンの偏りの程度に応じた補正電圧を印加し、液晶駆動領域のイオンの偏りを補償するとともに、補正電圧の印加し過ぎによる消費電力の増加を抑制することができる。
【００６６】
このように、実施の形態にかかる光学装置（液晶シャッタ）１０５によれば、信号発生の不使用期間に補正波形を掃印することで、極性が偏った駆動電圧の印加によって生じた液晶駆動領域のイオンの偏りを解消し、偏光ドリフト現象による液晶駆動領域の光学特性（たとえば変調特性）の劣化を抑制することができる。また、光学装置（液晶シャッタ）１０５によるレーザ光の変調を行いつつ、その休止期間に液晶駆動領域の補正を行うことができるため、補正による光学装置（液晶シャッタ）１０５の動作遅延を回避することができる。
【００６７】
以上説明したように、光学装置によれば、駆動電圧の極性の偏りによる液晶駆動領域の光学特性の劣化を抑制することができる。
【００６８】
なお、実施の形態にかかる光学装置として、図１に示した液晶セル１０３、ＰＢＳプリズム１０４および制御回路１２２により実現される光学装置（液晶シャッタ）１０５について説明したが、実施の形態にかかる光学装置はこのような構成に限らない。たとえば、実施の形態にかかる光学装置は、変調されたレーザ光のうちの所定方向の偏光成分のみを所定箇所へ出射する偏光子と、の組み合わせを含む構成とすることができる。このような
偏光子には、図１に示したＰＢＳプリズム１０４に限らず、たとえばスリットによって実現される偏光板などを用いてもよい。
【産業上の利用可能性】
【００６９】
以上のように、本発明にかかる光学装置は、駆動電圧に応じてレーザ光を変調可能な液晶駆動領域を有する光学装置に有用であり、特に、液晶シャッタなどの用途に適している。
【符号の説明】
【００７０】
１００  光記録再生装置
１０１  光源
１０２  コリメートレンズ
１０３  液晶セル
１０４，１０９  ＰＢＳプリズム
１０５  光学装置（液晶シャッタ）
１０６  ビームエキスパンダ
１０７  位相マスク
１０８，１１１ａ，１１１ｂ  リレーレンズ
１１０  空間光変調器
１１２  空間フィルタ
１１３  対物レンズ
１１４，１１５  ミラー
１１６，１２０  ガルバノミラー
１１７  スキャナレンズ
１１８  光情報記録媒体
１１９  １／４波長板
１２１  撮像素子
１２２  制御回路
１２３  アクチュエータ
２１０  駆動電圧
４１０  補正電圧
【図１】
0006542137.tif 000002
【図２】
0006542137.tif 000003
【図３】
0006542137.tif 000004
【図４】
0006542137.tif 000005
【図５】
0006542137.tif 000006
【図６】
0006542137.tif 000007
【図７】
0006542137.tif 000008